(57)【要約】      （修正有）【課題】汚れた水を浄化して飲料できる持ち運び可能な簡易型浄水器を提供する。【解決手段】浄水器は、原水を収納したペットボトル１１と、浄水剤１８を充填する充填装置本体１３と、浄水を貯留する浄水貯溜タンクとを備えて構成する。ペットボトル１１の収納口１１１に浄水装置取り付け部材１２を装着する。浄水装置取り付け部材１２に弁部材１２５を挿入し、浄水装置本体１３に装着する。浄水装置本体１３の胴体部１５２内に浄水通路１５２ａを設け、浄水通路１５２ａ内に浄水剤１８を充填する。浄水通路１５２ａ内に流入した原水は、浄水剤１８によって濾過されて浄水貯溜タンク内に貯留する。【選択図】図６
0003169406.tif 000002
【実用新案登録請求の範囲】
【請求項１】
原水を収納する原水収納容器と、前記原水を浄化する浄水装置本体と、浄化された水を貯留する浄水貯留タンクと、を備える簡易型浄水器であって、
前記原水収納容器の収納口には、前記浄水装置本体を取り付けるための原水通路を有する浄水装置取り付け部材が装着されるとともに、前記原水通路内には、前記原水の流出防止用の弁部材が前記原水通路の排水口を塞ぐように配設され、
前記浄水装置本体の前記浄水装置取り付け部材と対向する側には、前記弁部材を開放して前記原水を前記浄水装置本体内に流通させる弁開放部材が配設されるとともに、前記原水量を少なくするオリフィスが形成され、
前記浄水装置本体内には、前記原水を浄水にする浄水通路が形成され、前記浄水通路内に浄水剤が充填されていることを特徴とする簡易型浄水器。
【請求項２】
前記弁部材が、前記原水通路を移動可能な球体に形成されていることを特徴とする請求項１記載の簡易型浄水器。
【請求項３】
前記弁開放部材が、前記弁部材を移動させる突起棒状に形成されていることを特徴とする請求項２記載の簡易型浄水器。
【請求項４】
前記浄水剤が、強塩基性陰イオン交換樹脂であり、硝酸態窒素を除去するものであることを特徴とする請求項１，２又は３記載の簡易型浄水器。
【考案の詳細な説明】
【技術分野】
【０００１】
本考案は、飲料水中に含まれる不純物を除去できる持ち運び可能な簡易型浄水器に関する。
【背景技術】
【０００２】
従来の浄水器では、活性炭、キチン、キトサン、イオン交換樹脂座材等の濾過材を用いてトリハロメタン等の不純物の除去を目的とするものが多く、水道に直接取り付けていた。そのため、持ち運び可能で、かつ、例えば硝酸態窒素を効率的に除去できる浄水器は存在しなかった。
【０００３】
例えば、従来の浄水器は、特許文献１、２に知られたものがある。特許文献１の浄水器は、家庭用や業務用に用いられるものであり、水道の蛇口に取り付けて、水分に含まれる、又は水分に付着する微生物が、浄水器の流水路を伝わって浄水器内に進入することを防止するように構成されるものであって、浄水器本体の流水出口近傍に、流水時以外に外部の水分が流水出口から浄水器本体内に進入することを防止する遮断手段を設けているものである。
【０００４】
また、特許文献２の浄水器は、粒状濾過材に捕捉された有機溶剤や不純物などを逆洗水とともに原水流入口から排出することができるものであって、粒状濾過剤の堆積層と濾過材流出防止ネットとの間に絞りを設けて、絞りと浄水器本体の内壁との間に１〜２個の粒状濾過剤が通れる絞り流路を形成したものである。この際、浄水器は、活性炭、キチン、キトサン、イオン交換樹脂座材等の濾過材を用いてトリハロメタン等の有機溶剤を捕捉している。
【先行技術文献】
【特許文献】
【０００５】
【特許文献１】特開平６−１２６２７５号公報
【特許文献２】特開平６−３４３９５４号公報
【考案の概要】
【考案が解決しようとする課題】
【０００６】
しかし、特許文献１の浄水器は、家庭用や業務用であるため、室内の水道の蛇口に取り付けるものであり、水分に付着する微生物や外部からの不純物が浄水器の流水路を伝わって浄水器内に侵入することを防止するものであり、水道水内に含まれている不純物、例えば、硝酸態窒素を浄化剤で濾過して浄化するものではない。さらに水道の蛇口に取り付けた浄水器では、浄水器自体を持ち運ぶことができないことから、特に災害時に自由に使用することができなかった。また、特許文献２の浄水器は、原水に含まれる不純物を濾過する濾過装置としては開示されているものの、災害時に原水をどのようにして供給して浄水器に装着するかを開示しているわけではない。
【０００７】
本考案は、上述の課題を解決するものであり、自由に持ち運ぶことができて、原水に含まれている不純物、例えば、硝酸態窒素を除去して水道水やペットボトルの水を提供できるように構成する浄水器を提供することを目的とする。
【課題を解決するための手段】
【０００８】
本考案に係る簡易型浄水器は、以下のように構成するものである。すなわち、請求項１記載の考案は、原水を収納する原水収納容器と、前記原水を浄化する浄水装置本体と、浄化された水を貯留する浄水貯留タンクと、を備える簡易型浄水器であって、前記原水収納容器の収納口には、前記浄水装置本体を取り付けるための原水通路を有する浄水装置取り付け部材が装着されるとともに、前記原水通路内には、前記原水の流出防止用の弁部材が前記原水通路の排水口を塞ぐように配設され、前記浄水装置本体の前記浄水装置取り付け部材と対向する側には、前記弁部材を開放して前記原水を前記浄水装置本体内に流通させる弁開放部材が配設されるとともに、前記原水量を少なくするオリフィスが形成され、前記浄水装置本体内には、前記原水を浄水にする浄水通路が形成され、前記浄水通路内に浄水剤が充填されていることを特徴とするものである。
【０００９】
請求項２記載の考案は、請求項１の考案に係るものであって、前記弁部材が、前記原水通路を移動可能な球体に形成されていることを特徴としている。
【００１０】
請求項３記載の考案は、請求項２の考案に係るものであって、前記弁開放部材が、前記弁部材を移動させる突起棒状に形成されていることを特徴としている。
【００１１】
請求項４記載の考案は、請求項１，２又は３記載の考案に係わるものであって、前記浄水剤が、強塩基性陰イオン交換樹脂であり、硝酸態窒素を除去するものであることを特徴としている。
【考案の効果】
【００１２】
請求項１の考案によれば、例えば、水道水やペットボトルの水から得られた原水は浄水装置取り付け部材を有する原水収納容器に収納され浄水装置本体に取り付けられる。浄水装置取り付け部材には原水収納容器から原水が外部に漏れることを防止するための弁部材が配設されているから、原水を収納した原水収納容器を逆さまにすることにより原水が漏れることはない。原水収納容器を逆さまにした状態で、浄水装置取り付け部材を浄水装置本体に取り付けると、弁開放部材が弁部材を原水収納容器側に押し込むことによって、原水は、原水通路の内壁と弁部材との間を通り、オリフィスを通って浄水装置本体の浄水通路をゆっくりと流れる。浄水通路内には、浄水剤が充填されているから、原水が浄水剤をゆっくりと通過することによって、不純物は濾過され、浄化された水のみが、浄水貯留タンク内に入ることになる。浄水貯留タンクにコックを装着することによって、浄化された水を適宜飲料することができる。この簡易型浄水器は、どこの場所でも水道やペットボトル等から得られた原水を原水収納容器に汲み込んでどこにでも持ち運びができるから、特に災害時においては、好適に使用することができる。
【００１３】
請求項２の考案によれば、前記弁部材が、前記原水通路を移動可能な球体に形成されているから、例えば、ラムネのビー玉のように、簡単な構造で容易に弁の開閉を行なうことができる。
【００１４】
請求項３の考案によれば、前記弁開放部材が、浄水装置本体の上部に配置されて前記弁部材を移動させる突起棒状に形成されているから、球体の弁部材は、原水収納容器に装着された浄水装置取り付け部材を浄水装置本体に取り付けるだけで、弁開放部材に押し上げられることになり、原水を浄水装置本体内に流入させることができる。
【００１５】
請求項４の考案によれば、浄水剤は、不純物の種類によって充填するものであり、例えば、浄水剤が、強塩基性陰イオン交換樹脂であれば、硝酸態窒素を除去することができる。
【図面の簡単な説明】
【００１６】
【図１】本考案の一実施形態の簡易型浄水器を示す全体正面図である。
【図２】図１の簡易型浄水器の分解斜視図である。
【図３】図２における浄水装置取り付け部材の断面図ある。
【図４】図２における浄水装置本体を示す断面図である。
【図５】浄水装置本体の上部内面を示す平面図である
【図６】浄水装置本体に浄水装置取り付け部材を装着した状態を示す断面図である。
【図７】浄水装置本体を洗浄する状態を示す正面図である。
【考案を実施するための形態】
【００１７】
以下、本考案における一実施形態の簡易型浄水器を図１〜７に基づいて説明する。
【００１８】
図１〜２に示すように、簡易型浄水器（以下、単に浄水器という。）１０は、原水収納容器としてのペットボトル１１と、ペットボトル１１の収納口１１１に取り付けられる浄水装置取り付け部材１２と、浄水剤１８(図６参照)が充填されている浄水装置本体１３と、浄化された水を貯留する浄水貯溜タンク１６とを有している。浄水貯溜タンク１６上面には、浄水装置本体１３を支持するための取り付けスタンド１７が装着されている。
【００１９】
原水収納容器は、水道水や、市販されているペットボトルの水等を汲み込んで収納するものであり、実施形態においてはペットボトル１１が使用されているが、原水を収納できるものであれば、ペットボトル１１に拘るものではない。
【００２０】
図３に示すように、浄水装置取り付け部材１２は、ペットボトル１１の収納口１１１に取り付けて浄水装置本体１３に取り付けるものであり、一端に配置されたフランジ部１２１とフランジ部１２１から連接された円筒状の胴体部１２２とを有して形成されている。フランジ部１２１の内部には、ペットボトル１１の収納口１１１を螺合する雌ねじ部１２３が形成され、胴体部１２２の内部には、原水通路１２４が形成されている。原水通路１２４には、球状の弁部材１２５が挿入されている。実施形態の弁部材１２５はラムネ等に挿入されているビー玉が使用されている。
【００２１】
なお、原水通路１２４の原水供給側には、原水通路１２４より小径部を有するリング状のパッキン１２６が装着されて弁部材１２５の抜け止めとされ、原水排水側は、弁部材１２５より小径の排水口１２４ａが形成されて弁部材１２５の抜け止めとされている。実施形態の排水口１２４ａは弁部材１２５側の内面を円弧状に形成しているが、円弧状でなくてもよい。さらに、胴体部１２２の外周面には、軸方向に沿って２箇所にＯリング溝１２２ａが形成されて、Ｏリング溝１２２ａにＯリング１２７が装着されている。Ｏリング１２７を装着することによって、浄水装置取り付け部材１２と浄水装置本体１３とのシール性を向上することができる。
【００２２】
また、弁部材１２５の外径は、原水通路１２４の内径より小さく形成され、排水口１２４ａを除く原水通路１２４と弁部材１２５との間は、原水が通る流通路として形成されている。
【００２３】
図４に示すように、浄水装置本体１３は、原水の供給側に上部本体１４、原水の排出側に浄水剤充填筒部１５を備えて構成されている。上部本体１４は、下部に浄水剤充填筒部１５に取り付けるためのフランジ部１４１と浄水装置取り付け部材１２を内嵌する受け部１４２とを形成している。フランジ部１４１には４箇所にねじ取り付け孔１４１ａが形成され、ねじ取り付け孔１４１ａにより浄水装置取り付け部材１２を浄水装置本体１３に取り付け可能に構成している。受け部１４２には、図５に示すように、底面１４２ａの中央部から立ち上がる弁開放突起棒１４２ｂと弁開放突起棒１４２ｂの周りの底面１４２ａの３箇所の位置に配置された小径のオリフィス１４２ｃと、が形成されている。さらに、フランジ部１４１の裏面側には、浄水剤充填筒部１５の上部に嵌入する嵌入凸部１４１ｂが形成され、嵌入凸部１４１ｂにフィルタ１４３とフィルタ押さえ１４４とが挿入される溝１４１ｃと、が形成されている。
【００２４】
浄水剤充填筒部１５は、上部本体１４側に、上部本体１４を取り付けるためのフランジ部１５１と、浄水剤１８（図６参照）が充填される円筒状の胴体部１５２とを備えている。フランジ部１５１には、上部本体１４の嵌入凸部１４１ｂが嵌入する嵌入凹部１５１ａが形成されるとともに、上部本体１４のねじ取り付け孔１４１ａに対向する雌ねじ部１５１ｂが４箇所に形成されている。胴体部１５２内には浄水通路１５２ａが形成され、胴体部１５２の下部には、フィルタ１５３と、フィルタ押さえ１５４が装着される溝１５２ｂが形成されている。浄水通路１５２aには浄水剤１８（図６参照）が充填されており原水が浄化されて浄水となる。浄水剤１８は、目的に応じて適宜使用できるものであるが、実施形態では、例えば、強塩基性陰イオン交換樹脂「ＭＡＣＩ」（株式会社ノアシステム製）が使用され、浄水剤充填筒部１５に充填されている。この浄水剤１８は塩素や硝酸態窒素等を除去することができる。
【００２５】
浄水貯溜タンク１６は、図２に示すように、筐体に形成されたタンクケース１６１の上面には、浄水剤充填筒部１５が挿入される入口部１６２が形成されている。タンクケース１６１の側面上部には取手部１３２が形成され、側面下部には抽出コック１６４が装着されている。
【００２６】
取り付けスタンド１７は、図２に示すように、浄水貯溜タンク１６の上面に被せるようにコの字状の蓋部１７１と蓋部１７１の上段に配置されて浄水剤充填筒部１５を安定して支持する支持部１７２とを備えている。支持部１７２には浄水剤充填筒部１５を挿入するための挿入孔１７３が形成されている。
【００２７】
次に、上述のように構成された浄水器１０の作用について説明する。
【００２８】
浄水貯溜タンク１６に取り付けスタンド１７を装着し、浄水剤充填筒部１５に上部本体１４を組み付けて構成した浄水装置本体１３の浄水剤充填筒部１５を、取り付けスタンド１７を介して浄水貯溜タンク１６に挿入する。浄水剤充填筒部１５には、強塩基性陰イオン交換樹脂「ＭＡＣＩ」（株式会社ノアシステム製）が充填されている。
【００２９】
一方、空のペットボトル１１に、例えば、家庭内の水道から供給された水（原水）や市販されているペットボトルの水等を収納する。水道水や市販されているペットボトルの水等には、例えば、塩素や硝酸態窒素が混入している。これらの原水が収納されたペットボトル１１の収納口１１１に浄水装置取り付け部材１２を装着する。浄水装置取り付け部材１２には、弁部材１２５が挿入されていて、ペットボトル１１を逆さまにした状態では、弁部材１２５が原水通路１２４の排水口１２４ａを塞ぐことから、内部に収納された原水を外部に漏らすことはない。
【００３０】
そして、図６に示すように、逆さまにしたペットボトル１１を、装着した浄水装置取り付け部材１２を浄水装置本体１３の上部本体１４に嵌入するように装着する。浄水装置取り付け部材１２を浄水装置本体１３の上部本体１４に嵌入することによって、上部本体１４の弁開放突起棒１４２ｂが弁部材１２５を押し上げるから、弁部材１２５は排水口１２４ａから離れ、原水がペットボトル１１から浄水装置本体１３の上部本体１４側に流れる。上部本体１４に流入した原水は３箇所のオリフィス１４２ｃを通り、フィルタ１４３を通って浄水装置本体１３の浄水通路１５２ａ内に充填されている浄水剤１８内を通過する。この際、ペットボトル１１内から勢いよく落下した原水はオリフィス１４２ｃを通る際に、速度が低下されてゆっくりと浄水剤１８を通過するから濾過精度を向上することができる。濾過された浄水はフィルタ１５３を通って浄水貯溜タンク１６に流入する。
【００３１】
ペットボトル１１に収納された原水が全て浄水貯溜タンク１６に流入されると、浄水貯溜タンク１６から浄水装置本体１３を取り外し、浄水貯溜タンク１６の入口部１６２に蓋をする。そして、取手部１６３を持って必要とされている場所に持ち運ぶ。抽出コック１６４直下にコップを置いて抽出コック１６４を開けると浄水を汲むことができるから災害者に浄水を飲ませることができる。取り外した浄水装置本体１３は、図７に示すように、その都度、または必要に応じて浄水器１０に付属されて提供される洗浄用食塩が含まれた洗浄容器１９内に挿入して洗浄する。
【００３２】
実施形態の浄水剤１８は、ＭＡＣＩであって、塩素や硝酸態窒素を除去することから、原水は、それらが除去された浄水となって浄水貯溜タンク１６内に流入されることになる。
【００３３】
上述のように、実施形態の浄水器は、硝酸態窒素等の不純物を除去して浄水を供給することができ、簡単な構成で持ち運び可能に構成されているから、いつでもどこでも使用できる。
【００３４】
なお、浄水剤１８は除去できる不純物に応じて適宜選択することができる。例えば、実施形態のように、浄水剤１８が、強塩基性陰イオン樹脂の「ＭＡＣＩ」であれば、塩素や硝酸態窒素等が混入された水道水を浄水することができ、それ以外の不純物であっても適宜な浄水剤を使用して浄水することができる。いずれにしろ、浄水装置本体１３に充填された浄水剤１８に関して、その目的に沿って、イオン交換樹脂の浄水剤１８の種類を変えることにより様々な不純物の除去が可能となる。
【符号の説明】
【００３５】
１０、浄水器
１１、ペットボトル（原水収納容器）
１２、浄水装置取り付け部材
１２４、原水通路
１２５、弁部材
１３、浄水装置本体
１４、上部本体
１４２ｂ、弁開放突起棒（弁開放部材）
１４２ｃ、オリフィス
１５、浄水剤充填筒部
１５２ａ、浄水通路
１６、浄水貯溜タンク
１８、浄水剤
【図１】
0003169406.tif 000003
【図２】
0003169406.tif 000004
【図３】
0003169406.tif 000005
【図４】
0003169406.tif 000006
【図５】
0003169406.tif 000007
【図６】
0003169406.tif 000008
【図７】
0003169406.tif 000009